(57)【要約】【課題】一対の基板の端面から外側への封止材の出っ張り部分の大きさを小さくすることが可能なシール材を有する液晶装置等を提供する。【解決手段】液晶装置は、一対の上側基板と下側基板とが枠状のシール材を介して貼り合わされ、そのシール材により区画される液晶保持領域内に液晶が保持されてなる。枠状のシール材は、液晶を注入するための注入口と、その注入口の近傍位置に液晶保持領域側に窪んでなる封止材溜まり部分を有する。これにより、液晶の注入口を封止材により封止した場合、その封止材の一部は液晶の注入口を封止すると共に、その封止材の他の一部は各封止材溜まり部分に溜まる。よって、一対の下側基板及び上側基板の各々の端面から外側への封止材の出っ張り部分の大きさを小さくすることができる。これにより、封止材の出っ張り部分のスペースを考慮することなく液晶装置を設計することができ、その設計が容易になる等の効果が得られる。【選択図】図３
2007193220.tif 000002
【特許請求の範囲】
【請求項１】
液晶を注入するための注入口を有する枠状のシール材を介して貼り合わされ、前記枠状のシール材により区画される液晶保持領域内に前記液晶を保持する一対の基板を備え、
前記枠状のシール材は、前記注入口の近傍位置に前記液晶保持領域側に窪んでなる封止材溜まり部分を備え、前記注入口と前記封止材溜まり部分とに封止材が塗布されることを特徴とする液晶装置。
【請求項２】
前記枠状のシール材は、前記一対の基板の各端面より内側に設けられ、前記注入口は前記基板の端面に設けられていることを特徴とする請求項１に記載の液晶装置。
【請求項３】
前記封止材溜まり部分は、平面的に見たときに凹状の形状を有することを特徴とする請求項１又は２に記載の液晶装置。
【請求項４】
前記封止材溜まり部分は、前記枠状のシール材を平面的に見たときに前記注入口の左側及び／又は右側に設けられていることを特徴とする請求項１乃至３のいずれか一項に記載の液晶装置。
【請求項５】
前記注入口の位置を基準としたときに、前記注入口の前記左側に設けられた前記封止材溜まり部分と、前記注入口の前記右側に設けられた前記封止材溜まり部分とは左右対称的な形状を有することを特徴とする請求項４に記載の液晶装置。
【請求項６】
前記封止材溜まり部分は前記注入口と連なる位置に設けられていることを特徴とする請求項１に記載の液晶装置。
【請求項７】
前記注入口の端部は前記一対の基板の前記各端面と同一面上に位置していることを特徴とする請求項２に記載の液晶装置。
【請求項８】
前記注入口は封止材の一部により封止されていると共に、前記封止材の他の一部は前記封止材溜まり部分に溜まっていることを特徴とする請求項１に記載の液晶装置。
【請求項９】
前記注入口及び前記封止材溜まり部分は、前記枠状のシール材において駆動回路が設けられるべき領域と逆側の位置に設けられていることを特徴とする請求項１に記載の液晶装置。
【請求項１０】
請求項１乃至９のいずれか一項に記載の液晶装置を表示部として備えることを特徴とする電子機器。
【発明の詳細な説明】
【技術分野】
【０００１】
本発明は、各種情報の表示に用いて好適な液晶装置及び電子機器に関する。
【背景技術】
【０００２】
従来より、液晶装置は、一対の基板を有し、その両基板が枠状のシール材を介して貼り合わせられ、その枠状のシール材の内側に液晶が封入されてなる。このシール材の一部には、液晶を注入するための開口（一般的に、「注入口」若しくは「封入口」と称される）が設けられており、その注入口は、例えばＵＶ（ultraviolet）硬化型樹脂等の材料からなる封止材によって封止されている。
【０００３】
この種の構成を有する液晶表示素子及び液晶表示パネルの一例が特許文献１及び２に夫々記載されている。
【０００４】
特許文献１に記載の液晶表示素子は、２枚のプラスチックフィルム基板の一方の基板にシール材に形成された液晶注入用の切欠箇所と繋がる切り欠き部を備えており、その切り欠き部は液晶封止用部材の溜まり箇所となっている。
【０００５】
また、特許文献２に記載の液晶表示パネルは、注入口の前方に基板端部のテーパー面と障壁とによって形成された漏斗状の液晶溜を有し、その液晶溜は注入口に連通している。これにより、パネル外面に液晶が漏れなくなり、液晶の注入工程における液晶の損失量を最小限にとどめることができるとされている。
【０００６】
【特許文献１】実開昭５９−１２３８３１号公報
【特許文献２】特開昭５８−１１４０１８号公報
【発明の開示】
【発明が解決しようとする課題】
【０００７】
しかしながら、上記した液晶装置では、枠状のシール材に設けられた液晶の注入口を閉塞する封止材の塗布の仕方により、一対の基板の各端面から外側への封止材の出っ張り量（出っ張り部分）が大き過ぎたり、或いはその逆に小さ過ぎたりしてしまう。
【０００８】
このような封止材の出っ張り部分の大きさが大きいと、その分だけ、かかる液晶装置の外形寸法が大きくなってしまうという問題がある。また、かかる液晶装置を電子機器に実装するときに、予め、その封止材の出っ張り部分を収容するスペースを考慮して液晶装置を設計しなければならず、その分、その設計負担が増大するという問題がある。さらに、電子機器の落下等によって、そのケースに外力が作用した場合には、その出っ張り部分がケースと当たり、その衝撃で液晶装置を構成するガラス基板が割れてしまうことがあり、液晶装置の外力による耐強度性が低下してしまうという問題がある。
【０００９】
このような問題を解消するには、例えば、封止材の塗布量を高精度に制御する、或いは封止材の粘度を適宜変えるなどの方法が考えられるが、かかる方法を採用すると液晶装置の製造工程が増加してしまうという問題がある。
【００１０】
また、上記した特許文献１に係る液晶表示素子では、シール材に設けられた切り欠き部が液晶が封入されている側に大きく凹んでいるので、液晶を注入する際に、液晶が切り欠き部に溜まってしまい、液晶注入用の切欠箇所を封止材で封止できない虞がある。また、封止材で液晶注入用の切欠箇所を封止する際に、切り欠き部の全部を封止材で埋めないと、その切欠箇所が確実に封止されない虞がある。後者の点については、上記した特許文献２に記載の液晶表示パネルについても同様のことが言える。
【００１１】
本発明は、以上の点に鑑みてなされたものであり、一対の基板の端面から外側への封止材の出っ張り部分の大きさを小さくすることが可能なシール材を有する液晶装置及びそれを用いた電子機器を提供することを課題とする。
【課題を解決するための手段】
【００１２】
本発明の１つの観点では、液晶装置は、液晶を注入するための注入口を有する枠状のシール材を介して貼り合わされ、前記枠状のシール材により区画される液晶保持領域内に前記液晶を保持する一対の基板を備え、前記枠状のシール材は、前記注入口の近傍位置に前記液晶保持領域側に窪んでなる封止材溜まり部分を備え、前記注入口と前記封止材溜まり部分とに封止材が塗布される。
【００１３】
上記の液晶装置は、液晶を注入するための注入口を有する枠状のシール材を介して貼り合わされ、その枠状のシール材により区画される液晶保持領域内に液晶を保持する一対の基板を備えて構成される。
【００１４】
特に、この液晶装置では、枠状のシール材は、液晶の注入口の近傍位置に液晶保持領域側に窪んでなる封止材溜まり部分を備え、前記注入口と前記封止材溜まり部分とに封止材が塗布される。好適な例では、前記封止材溜まり部分は、平面的に見たときに凹状の形状を有するのが好ましい。凹状の形状には、略半円状やＶ字状などの形状も含まれる。また、前記注入口及び前記封止材溜まり部分は、前記枠状のシール材において、ドライバＩＣなどの駆動回路が設けられるべき領域と逆側の位置に設けられているのが好ましい。
【００１５】
これにより、液晶の注入口を封止材により塗布して封止（閉塞）した場合、その封止材の一部は液晶の注入口を封止すると共に、その封止材の他の一部は、液晶保持領域側に窪んでなる封止材溜まり部分に溜まる。よって、一対の基板の各端面から外側への封止材の出っ張り部分（はみ出し部分）の大きさを小さくすることができる。
【００１６】
これにより、この液晶装置の外形寸法を小さくすることが可能となる。また、この液晶装置を電子機器に実装するときに、予め、その封止材の出っ張り部分のスペースを殆ど考慮することなく、かかる液晶装置を設計することができ、その設計が容易となる。さらに、電子機器の落下等によって、そのケースに外力が作用した場合でも、封止材の出っ張り部分がケースと衝突するのを回避でき、その外力が液晶装置に直接的に作用するのを防止できる。よって、液晶装置の耐強度性の向上を図ることができる。
【００１７】
上記の液晶装置の一つの態様では、前記枠状のシール材は、前記一対の基板の各端面より内側に設けられ、前記注入口は前記基板の端面に設けられている。これにより、封止材溜まり部分は、より液晶保持領域側に窪む位置に設定されるため、一対の基板の各端面から外側への封止材の出っ張り部分（はみ出し部分）の大きさを更に小さくすることができる。
【００１８】
上記の液晶装置の他の態様では、前記封止材溜まり部分は、前記枠状のシール材を平面的に見たときに前記注入口の左側及び／又は右側に設けられている。
【００１９】
この態様によれば、枠状のシール材を平面的に見たときに、封止材溜まり部分を、液晶装置の仕様等に応じて、注入口の左側及び右側のいずれか一方又は注入口の両側に設けることができる。
【００２０】
上記の液晶装置の他の態様では、前記注入口の位置を基準としたときに、前記注入口の前記左側に設けられた前記封止材溜まり部分と、前記注入口の前記右側に設けられた前記封止材溜まり部分とは左右対称的な形状を有する。
【００２１】
これにより、液晶の注入口の位置を基準としたときに、その注入口の左側に設けられた封止材溜まり部分と、その注入口の右側に設けられた封止材溜まり部分とに均一に封止材を溜めることができる。換言すれば、液晶の注入口の位置を基準としたときに、その注入口の左側に設けられた封止材溜まり部分に溜まる封止材の長さ（シール材の延在方向の長さ）と、その注入口の右側に設けられた封止材溜まり部分に溜まる封止材の長さ（シール材の延在方向の長さ）とを略同一に設定できる。これにより、かかる構造を有する枠状のシール材の適用可能な液晶装置を増やすことができる。
【００２２】
上記の液晶装置の他の態様では、前記封止材溜まり部分は前記注入口と連なる位置に設けられている。これにより、封止材による液晶の注入口への封止作業時に、封止材の一部を封止材溜まり部分へ迅速且つ的確に溜まるように導くことができる。
【００２３】
上記の液晶装置の他の態様では、前記注入口の端部は前記一対の基板の前記各端面と同一面上に位置している。これにより、液晶の注入口への液晶の注入作業が容易となる。
【００２４】
上記の液晶装置の他の態様では、前記注入口は封止材の一部により封止されていると共に、前記封止材の他の一部は前記封止材溜まり部分に溜まっている。
【００２５】
これにより、液晶の注入口は封止材によって封止されていると共に、一対の基板の各端面から外側への封止材の出っ張り部分（はみ出し部分）の大きさが小さくなっている。
【００２６】
本発明の他の観点では、上記の液晶装置を表示部として備える電子機器を構成することができる。
【発明を実施するための最良の形態】
【００２７】
以下、図面を参照して本発明を実施するための最良の形態について説明する。尚、以下の各種実施形態は、本発明を液晶装置に適用したものである。
【００２８】
一般的に、液晶装置では、枠状のシール材に設けられた液晶の注入口を閉塞する封止材の塗布の仕方により、一対の基板の各端面から外側への封止材の出っ張り量が大き過ぎたり、或いはその逆に小さ過ぎたりしてしまう。特に、その出っ張り量が大き過ぎると上述した不具合が生じる。そこで、本発明では、枠状のシール材の構造を工夫して、その封止材の出っ張り量が、できる限り小さくなるように制御する。
【００２９】
［液晶装置の構成］
まず、図１及び図２を参照して、本発明の実施形態に係る液晶装置１００の構成等について説明する。
【００３０】
図１は、本発明の実施形態に係る液晶装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と規定する。また、図１において、３色の各着色層６に対応する領域は１つのサブ画素領域ＳＧを示していると共に、それら３つのサブ画素領域ＳＧにより構成される１行３列の画素配列は、１つの画素領域ＡＧを示している。図２は、図１における切断線Ａ−Ａ’に沿った断面図であり、特にシール材５に設けられた液晶の注入口５ａを通る位置で切断したときの液晶装置１００の断面図である。
【００３１】
液晶装置１００は、素子基板９１と、その素子基板９１に対向して配置されるカラーフィルタ基板９２とが枠状のシール材５を介して貼り合わされてなり、そのシール材５により区画される液晶保持領域４ｘに液晶が保持され液晶層４が形成されてなる。
【００３２】
まず、素子基板９１の構成は次の通りである。
【００３３】
ガラスや石英などからなる下側基板１の内面上には、複数のソース線３２、複数のゲート線３３、複数のα−Ｓｉ型ＴＦＴ素子２１、複数の画素電極１０、ドライバＩＣ４０、外部接続用配線３５及びＦＰＣ（Flexible Printed Circuit）４１などが形成若しくは実装されている。そして、複数のソース線３２、複数のゲート線３３、複数のα−Ｓｉ型ＴＦＴ素子２１及び複数の画素電極１０等の内面上には、配向膜１７が形成されている。一方、下側基板１の外面上には偏光板１１が配置されていると共に、偏光板１１の外面上には照明装置としてのバックライト１５が配置されている。
【００３４】
図１に示すように、下側基板１は、カラーフィルタ基板９２の一辺側から外側へ張り出してなる張り出し領域３６を有しており、その張り出し領域３６上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。ＦＰＣ４１の一端側は、図示しない電子機器と接続されている。
【００３５】
各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。各ゲート線３３は、Ｙ方向に延在するように形成された第１配線３３ａと、その第１配線３３ａの終端部からＸ方向に且つ後述する有効表示領域Ｖ内に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。
【００３６】
各α−Ｓｉ型ＴＦＴ素子２１は、各ソース線３２と各ゲート線３３の第２配線３３ｂの交差位置付近に対応して設けられている。そして、各α−Ｓｉ型ＴＦＴ素子２１は、各ソース線３２、各ゲート線３３及び各画素電極１０等に電気的に接続されている。各画素電極１０は、各サブ画素領域ＳＧ内に設けられている。
【００３７】
１つの画素領域ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。なお、有効表示領域Ｖの外側の領域は表示に寄与しない額縁領域３８となっている。
【００３８】
次に、カラーフィルタ基板９２の構成は次の通りである。
【００３９】
ガラスや石英などからなる上側基板２の内面上には、遮光層（以下、単に「ＢＭ」と略記する）、並びに赤色の着色層６Ｒ、緑色の着色層６Ｇ及び青色の着色層６Ｂ（以下、それらの色を区別しない場合には、単に「着色層６」と称する）が形成されているが、図２の断面図は、着色層６Ｒを通る位置で切断した断面図であるため、着色層６Ｇ及び着色層６は図示されていない。
【００４０】
各着色層６は、各サブ画素領域ＳＧに対応する位置に設けられていると共に、ＢＭは、各サブ画素領域ＳＧを区画する位置、並びに各α−Ｓｉ型ＴＦＴ素子２１に対応する位置などに設けられている。各着色層６及びＢＭ等の内面上には、オーバーコート層１９が形成されていると共に、オーバーコート層１９の内面上には、ＩＴＯなどの透明導電材料からなる共通電極８が形成されている。共通電極８は、シール材５の隅の領域Ｅ１において配線１５の一端側と電気的に接続されていると共に、当該配線１５の他端側は、ドライバＩＣ４０のＣＯＭに対応する出力端子（接地用端子）と電気的に接続されている。共通電極２０の内面上には図示しない配向膜が形成されている。一方、上側基板２の外面上には偏光板１２が設けられている。こうして、カラーフィルタ基板９２が構成されている。
【００４１】
以上の構成を有する液晶装置１００では、電子機器等と接続されたＦＰＣ４１側からの信号及び電力等に基づき、ドライバＩＣ４０によって、Ｇ１、Ｇ２、・・・、Ｇｍ−１、Ｇｍ（ｍ：自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置に存在する画素電極１０に対し、表示内容に応じたソース信号を、それぞれ対応するＳ１、Ｓ２、・・・、Ｓｎ−１、Ｓｎ（ｎ：自然数）のソース線３２及び各α−Ｓｉ型ＴＦＴ素子２１を介して供給する。その結果、液晶層４の表示状態が、非表示状態または中間表示状態に切り替えられ、液晶層４内の液晶分子の配向状態が制御されることとなる。
【００４２】
そして、本実施形態の液晶装置１００において透過型表示がなされる場合、バックライト１５から出射した照明光は、図２に示す経路Ｔに沿って進行する。即ち、バックライト１５から出射された照明光は、画素電極１０、液晶層４及び着色層６などを通過して所定の色相及び明るさを呈し、観察者に至る。こうして、所望のカラー表示画像が観察者により視認される。
【００４３】
（シール材の構造）
次に、図３等を参照して、本発明の特徴をなすシール材の構造について説明する。
【００４４】
図３は、図１における破線領域Ｅ２の部分を拡大した部分平面図であり、特に枠状のシール材に設けられた液晶の注入口５ａ付近を示す。
【００４５】
枠状のシール材５は、例えばエポキシ樹脂等により形成され、図１及び図３に示すように、一対の下側基板１及び上側基板２の各端面より内側に設けられている。枠状のシール材５は、下側基板１と上側基板２と対向させた状態でそれらを固定する機能と、当該枠状のシール材５の内側に設けられた液晶保持領域内４ｘに液晶を保持する機能とを兼ね備えている。枠状のシール材５は、下側基板１の端面と上側基板２の端面とが揃う位置に、好ましくはドライバＩＣ４０と逆側に対応する下側基板１の端面１ｘと上側基板２の端面２ｘとが揃う位置に液晶を注入するための注入口５ａを有する。これにより、液晶の注入口５ａの端部５ａｂは、一対の下側基板１及び上側基板２の各々の端面１ｘ、２ｘと同一面上に位置している。また、液晶の注入口５ａは、液晶装置１００の外部と、シール材５により区画される液晶保持領域４ｘとに通じている。
【００４６】
特に、枠状のシール材５は、液晶の注入口５ａの近傍位置に、液晶保持領域４ｘ側に窪んでなる封止材溜まり部分５ｂを有する。本実施形態では、封止材溜まり部分５ｂは液晶の注入口５ａと連なる位置に設けられていると共に、その封止材溜まり部分５ｂは、平面的に見たときに凹状の形状を有し、液晶の注入口５ａの左側及び右側に設けられている。また、液晶の注入口５ａの中心を通る中心線Ｌ１を基準としたときに、当該液晶の注入口５ａの左側に設けられた封止材溜まり部分５ｂと、液晶の注入口５ａの右側に設けられた封止材溜まり部分５ｂとは左右対称的な形状を有する。なお、本発明では、封止材溜まり部分５ｂは、枠状のシール材５を平面的に見たときに、仕様等に応じて液晶の注入口５ａの左側及び右側のいずれか一方に設けるようにしても構わない。
【００４７】
また、液晶の注入口５ａと封止材溜まり部分５ｂとは封止材５０が塗布され封止（閉塞）されている。このため、その封止材５０の一部は液晶の注入口５ａを封止していると共に、その封止材５０の他の一部は、液晶保持領域４ｘ側に窪んでなる封止材溜まり部分５ｂに溜まっている。封止材５０の材料としては、ＵＶ（ultraviolet）硬化型樹脂等を用いるのが好ましい。
【００４８】
以上のように、本実施形態では、特に、枠状のシール材５は、液晶の注入口５ａの近傍位置に、液晶保持領域４ｘ側に窪んでなる封止材溜まり部分５ｂを有し、液晶の注入口５ａと封止材溜まり部分５ｂとは封止材５０が塗布されている。好適な例では、封止材溜まり部分５ｂは、平面的に見たときに凹状の形状を有するのが好ましい。
【００４９】
これにより、液晶の注入口５ａを封止材５０により塗布して封止（閉塞）した場合、その封止材５０の一部は液晶の注入口５ａを封止すると共に、その封止材５０の他の一部は、液晶保持領域４ｘ側に窪んでなる各封止材溜まり部分５ｂに溜まる。よって、一対の下側基板１及び上側基板２の各々の端面１ｘ、２ｘから外側への封止材５０の出っ張り部分（はみ出し部分）５０ａ（破線で囲まれた部分に相当）の大きさ（距離）ｄ１を小さくすることができる（図２も参照）。
【００５０】
これにより、この液晶装置１００の外形寸法を小さくすることが可能となる。また、この液晶装置１００を後述する電子機器等に実装するときに、予め、その封止材５０の出っ張り部分５０ａのスペースを殆ど考慮することなく、かかる液晶装置１００を設計することができ、その設計が容易となる。さらに、電子機器の落下等によって、そのケースに外力が作用した場合でも、封止材５０の出っ張り部分５０ａがケースと衝突するのを回避でき、その外力が液晶装置１００に直接的に作用するのを防止できる。よって、液晶装置１００の耐強度性の向上を図ることができる。
【００５１】
また、枠状のシール材５は一対の下側基板１及び上側基板２の各端面より内側に設けられている。これにより、各封止材溜まり部分５ｂは、より液晶保持領域４ｘ側に窪む位置に設定されるため、一対の下側基板１及び上側基板２の各々の端面１ｘ、２ｘから外側への封止材５０の出っ張り部分（はみ出し部分）５０ａの大きさ（距離）ｄ１を更に小さくすることができる。
【００５２】
また、枠状のシール材５の封止材溜まり部分５ｂは、当該枠状のシール材５を平面的に見たときに、液晶装置の仕様等に応じて、本実施形態のように液晶の注入口５ａの両側に、或いは当該液晶の注入口５ａの左側及び右側のいずれか一方に夫々設けられているのが好ましい。
【００５３】
また、液晶の注入口５ａの中心を通る中心線Ｌ１を基準としたときに、当該液晶の注入口５ａの左側に設けられた封止材溜まり部分５ｂと、液晶の注入口５ａの右側に設けられた封止材溜まり部分５ｂとは左右対称的な形状を有するので、液晶の注入口５ａの左側に設けられた封止材溜まり部分５ｂと、その液晶の注入口５ａの右側に設けられた封止材溜まり部分５ｂとに均一に封止材５０を溜めることができる。換言すれば、液晶の注入口５ａの位置を基準としたときに、その液晶の注入口５ａの左側に設けられた封止材溜まり部分５ｂに溜まる封止材５０の長さｄ２（一対の下側基板１及び上側基板２の各々の端面１ｘ、２ｘと略平行なシール材５の延在方向の長さ）と、その液晶の注入口５ａの右側に設けられた封止材溜まり部分５ｂに溜まる封止材５０の長さｄ３（一対の下側基板１及び上側基板２の各々の端面１ｘ、２ｘと略平行なシール材５の延在方向の長さ）とを略同一に設定できる。これにより、かかる構造を有する枠状のシール材５の適用可能な液晶装置を増やすことができる。
【００５４】
また、枠状のシール材５の各封止材溜まり部分５ｂは、液晶の注入口５ａと連なる位置に設けられている。これにより、封止材５０による液晶の注入口５ａへの封止作業時に、封止材５０の一部を各封止材溜まり部分５ｂへ迅速且つ的確に溜まるように導くことができる。
【００５５】
また、液晶の注入口５ａの端部５ａｂは、一対の下側基板１及び上側基板２の各々の端面１ｘ、２ｘと同一面上に位置している。これにより、液晶の注入口５ａへの液晶の注入作業が容易となる。
【００５６】
また、液晶の注入口５ａは封止材５０により封止（閉塞）され、その封止材５０の一部は各封止材溜まり部分５ｂに溜まっている。これにより、液晶の注入口５ａは封止材５０によって封止されていると共に、一対の下側基板１及び上側基板２の各々の端面１ｘ、２ｘから外側への封止材５０の出っ張り部分（はみ出し部分）５０ａの大きさ（距離）ｄ１が小さくなっている。
【００５７】
［変形例］
本発明では、枠状のシール材５の封止材溜まり部分５ｂは、平面的に見たときに液晶保持領域４ｘ側に窪んでなる凹状の形状を有していればよい。したがって、かかる封止材溜まり部分５ｂは平面的に見たときに、図４（ａ）に示すような略半円状の形状、或いは、図４（ｂ）に示すようなＶ字状の形状となるように形成しても構わない。かかる構成によっても、上記した本発明の作用効果が得られる。
【００５８】
また、本発明は、その趣旨を逸脱しない範囲において種々の変形をすることができる。
【００５９】
［電子機器］
次に、本実施形態に係る液晶装置１００等を適用可能な電子機器の具体例について図５を参照して説明する。
【００６０】
まず、本実施形態に係る液晶装置１００等を、可搬型のパーソナルコンピュータ（いわゆるノート型パソコン）の表示部に適用した例について説明する。図５（ａ）は、このパーソナルコンピュータの構成を示す斜視図である。同図に示すように、パーソナルコンピュータ８１０は、キーボード８１１を備えた本体部８１２と、本実施形態に係る液晶装置１００等を適用した表示部８１３とを備えている。
【００６１】
続いて、本実施形態に係る液晶装置１００等を、携帯電話機の表示部に適用した例について説明する。図５（ｂ）は、この携帯電話機の構成を示す斜視図である。同図に示すように、携帯電話機７２０は、複数の操作ボタン７２１のほか、受話口７２２、送話口７２３とともに、本実施形態に係る液晶装置１００等を適用した表示部７２４を備える。
【００６２】
なお、本実施形態に係る液晶装置１００等を適用可能な電子機器としては、図５（ａ）に示したパーソナルコンピュータや図５（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００６３】
【図１】本発明の実施形態に係る液晶装置の構成を模式的に示す平面図。
【図２】液晶の注入口を通る位置で切断した液晶装置の部分断面図。
【図３】液晶の注入口付近に設けられた封止材溜まり部分を拡大して示す部分平面図。
【図４】各種の変形例に係る封止材溜まり部分を拡大して示す部分平面図。
【図５】本発明の液晶装置を適用した電子機器の例。
【符号の説明】
【００６４】
１  下側基板、  ２  上側基板、  １ｘ、２ｘ  端面、  ４  液晶層、  ４ｘ  液晶保持領域、  ５  枠状のシール材、  ５ａ  注入口、  ５ｂ  封止材溜まり部分、  ５０  封止材、  ５０ａ  出っ張り部分、  ９１  素子基板、  ９２  カラーフィルタ基板、  １００  液晶装置
【図１】
2007193220.tif 000003
【図２】
2007193220.tif 000004
【図３】
2007193220.tif 000005
【図４】
2007193220.tif 000006
【図５】
2007193220.tif 000007